(57)【要約】【課題】  セグメントタイプのダイアモンド工具に関するものであって、ダイアモンド工具を構成する切削チップにダイアモンド粒子を適切に配列することにより、一層優れた切削性能を有し、且つ切削作業時発生する微細粉塵をより減少させ得るダイアモンド工具を提供する。【解決手段】  本発明は、ダイアモンド粒子が、被削材の切削時後続するダイアモンド層によって被削材に形成される切削溝が先行するダイアモンド層によって被削材に形成された切削溝同士の間に形成されるよう配列されるダイアモンド工具において、上記ダイアモンド粒子は切削方向に平行で切削面と垂直に切断された断面上において該断面の上部頂点を連結する線または下部頂点を連結する線と一定の角度で傾斜するよう配列され、被削材の切削時ダイアモンド粒子が切削チップの切削面に一定の間隔で突出するダイアモンド工具。
2006515807.tif 000002
【特許請求の範囲】
【請求項１】
ダイアモンド粒子が単層または多層の板状に分布された多数個の切削チップを含み、上記ダイアモンド粒子層は被削材の切削時後続するダイアモンド層によって被削材に形成される切削溝が先行するダイアモンド層によって被削材に形成された切削溝間に形成されるよう配列されるダイアモンド工具において、
上記ダイアモンド粒子は切削方向に平行で切削面と垂直に切断された断面上において、該断面の上部頂点を連結する線または下部頂点を連結する線と一定の角度で傾斜するよう配列され、被削材の切削時ダイアモンド粒子が切削チップの切削面に一定の間隔を置いて突出するようにするダイアモンド工具。
【請求項２】
上記傾斜角が５〜４５°であることを特徴とする請求項１記載のダイアモンド工具。
【請求項３】
上記傾斜角が１５〜４５°であることを特徴とする請求項２記載のダイアモンド工具。
【請求項４】
先行する切削チップにはダイアモンド粒子がｎ層配列され、後続切削チップにはダイアモンド粒子がｎ’層配列され（この際n'≦n）、上記先行切削チップと後続切削チップは交互に配列され、且つ上記後続切削チップの各々のダイアモンド粒子層は上記先行切削チップのダイアモンド粒子層間に来るよう配列される請求項１ないし３中のいずれか一項に記載のダイアモンド工具。
【請求項５】
各々の切削チップを２個以上の領域に区分して切削方向から見て前方部にはｎ層のダイアモンド粒子層が配列され、後方部にはｎ’層のダイアモンド粒子層が配列され（この際n'≦n）、且つ上記前方部の各々のダイアモンド粒子層は上記後方部のダイアモンド粒子層間に来るよう配列される請求項１ないし３中のいずれか一項に記載のダイアモンド工具。
【請求項６】
上記前方部のダイアモンド粒子層が上記後方部のダイアモンド粒子層間に来るように、切削方向から見て側面部に陰刻を与えることにより配列される請求項５記載のダイアモンド工具。
【請求項７】
上記先行する各ダイアモンド粒子層と粒子層の間隔は後続するダイアモンド粒子層の厚さより小さいか同じである請求項１ないし３中のいずれか一項に記載のダイアモンド工具。
【請求項８】
上記先行する各ダイアモンド粒子層と粒子層の間隔は後続するダイアモンド粒子層の厚さより小さいか同じである請求項４記載のダイアモンド工具。
【請求項９】
上記先行する各ダイアモンド粒子層と粒子層の間隔は後続するダイアモンド粒子層の厚さより小さいか同じである請求項５記載のダイアモンド工具。
【請求項１０】
上記先行する各ダイアモンド粒子層と粒子層の間隔は後続するダイアモンド粒子層の厚さより小さいか同じである請求項６記載のダイアモンド工具。
【請求項１１】
ダイアモンド粒子が板状の層で配列された切削チップと共に、ダイアモンド粒子がランダムに分布された切削チップを単数または多数個含む請求項１ないし３中のいずれか一項に記載のダイアモンド工具。
【請求項１２】
ダイアモンド粒子が板状の層で配列された切削チップと共に、ダイアモンド粒子がランダムに分布された切削チップを単数または多数個含む請求項４記載のダイアモンド工具。
【請求項１３】
ダイアモンド粒子が板状の層で配列された切削チップと共に、ダイアモンド粒子がランダムに分布された切削チップを単数または多数個含む請求項５記載のダイアモンド工具。
【請求項１４】
ダイアモンド粒子が板状の層で配列された切削チップと共に、ダイアモンド粒子がランダムに分布された切削チップを単数または多数個含む請求項６記載のダイアモンド工具。
【請求項１５】
ダイアモンド粒子層が無い部位にフィラーが分布された請求項１ないし３中のいずれか一項に記載のダイアモンド工具。
【請求項１６】
ダイアモンド粒子層が無い部位にフィラーが分布された請求項４記載のダイアモンド工具。
【請求項１７】
ダイアモンド粒子層が無い部位にフィラーが分布された請求項５記載のダイアモンド工具。
【請求項１８】
ダイアモンド粒子層が無い部位にフィラーが分布された請求項６記載のダイアモンド工具。
【請求項１９】
ダイアモンド粒子層が無い部位にフィラーが分布された請求項７記載のダイアモンド工具。
【請求項２０】
ダイアモンド粒子層が無い部位にフィラーが分布された請求項８ないし１０中のいずれか一項に記載のダイアモンド工具。
【請求項２１】
ダイアモンド粒子層が無い部位にフィラーが分布された請求項１１記載のダイアモンド工具。
【請求項２２】
ダイアモンド粒子層が無い部位にフィラーが分布された請求項１２ないし１４中のいずれか一項に記載のダイアモンド工具。
【請求項２３】
フィラーがＳｉＣ、ＷＣ、ＢＮ、Ａｌ２Ｏ３及びダイアモンドで成る群から選択された１種または２種以上である請求項１５記載のダイアモンド工具。
【請求項２４】
フィラーがＳｉＣ、ＷＣ、ＢＮ、Ａｌ２Ｏ３及びダイアモンドからなる群から選択された１種または２種以上である請求項１６ないし１９中のいずれか一項に記載のダイアモンド工具。
【請求項２５】
フィラーがＳｉＣ、ＷＣ、ＢＮ、Ａｌ２Ｏ３及びダイアモンドからなる群から選択された１種または２種以上である請求項２０記載のダイアモンド工具。
【請求項２６】
フィラーがＳｉＣ、ＷＣ、ＢＮ、Ａｌ２Ｏ３及びダイアモンドからなる群から選択された１種または２種以上である請求項２１記載のダイアモンド工具。
【請求項２７】
フィラーがＳｉＣ、ＷＣ、ＢＮ、Ａｌ２Ｏ３及びダイアモンドからなる群から選択された１種または２種以上である請求項２２記載のダイアモンド工具。
【請求項２８】
フィラーがダイアモンドでフィラーとして添加されたダイアモンドの集中度が切削を目的とするダイアモンドの集中度の１０−６０％程度である請求項２３記載のダイアモンド工具。
【請求項２９】
フィラーがダイアモンドでフィラーとして添加されたダイアモンドの集中度が切削を目的としてするダイアモンドの集中度の１０−６０%程度である請求項２４記載のダイアモンド工具。
【請求項３０】
フィラーがダイアモンドでフィラーとして添加されたダイアモンドの集中度が切削を目的とするダイアモンドの集中度の１０−６０％程度である請求項２５ないし２７中のいずれか一項に記載のダイアモンド工具。
【発明の詳細な説明】
【技術分野】
【０００１】
本発明は石材、レンガ、コンクリート、アスファルトのような脆性を有する被削材を切断もしくは穿孔する際使用されるダイアモンド工具に関する。より詳しくは切削速度を高め微細粉塵を減らせるダイアモンド工具に関する。 
【背景技術】
【０００２】
本発明は大韓民国特許出願第２００１―６０６８０号に開示されたダイアモンド工具に係わる。人造ダイアモンドは１９５０年代に発明されたものであり、地球上に存在する物質中最も硬度の高い物質として知られ、その特性から切削、研削工具などに用いられてきた。
【０００３】
とりわけ、上記人造ダイアモンド（以下、「ダイアモンド」と称する）は花崗岩、大理石などの石材を切削、研削する石材加工分野及びコンクリート構造物を切削、研削する建設業分野において広く利用されてきた。
【０００４】
通常、ダイアモンド工具はダイアモンド粒子が分布された切削チップと該切削チップが固定されている金属ボディ（Ｃｏｒｅ）で構成される。
【０００５】
図１には切削チップ（segment）タイプのダイアモンド工具の一例を示してある。図１に示すように、切削チップタイプのダイアモンド工具（１）はディスク形態の金属ボディ（２）に固定されている複数個の切削チップ（１１）（１２）を含み、各々の切削チップ（１１）（１２）にはダイアモンド粒子（５）らがランダムに分布されている。
【０００６】
ダイアモンド工具を使用して被削材を切削する場合各々の切削チップに分布されたダイアモンド粒子各々が切削を行う。しかし、本発明者らの研究及び実験結果によれば、図１のように、ダイアモンド粒子が切削チップにランダムに分布される場合はダイアモンド粒子の切削効率が低下することが確認された。
【０００７】
これは、ダイアモンド粒子がランダムに分布された切削チップのみ含むダイアモンド工具には次のような非効率が発生するからである。一つは先行切削チップに分布されたダイアモンド粒子により形成された切削溝同士の間隔がダイアモンド粒子の大きさよりはるかに大きくて、後続切削チップが通過した後にも切削溝と切削溝の間に非切削部が残り被削材が完全に除去されない場合である。さらに他の場合は後続切削チップに分布されたダイアモンド粒子があいにく先行切削チップが形成した切削溝をなぞるばかりで結局何もしない場合である。
【０００８】
一方、上記ダイアモンド粒子がランダムに分布された切削チップを製造する方法としてはダイアモンド粒子を他の金属粉末と混合して焼結する粉末冶金方法が広く利用されてきた。
上記のように粉末冶金法により切削チップを製造する場合には微細なダイアモンド粒子と他の金属粉末とを混合、成型、焼結する過程において粒子の大きさ、 比重の差などによりダイアモンド粒子が金属結合剤中に均一に分布されず、図１に示したように粒子が過多に分布された切削面（３）を提供するか、または過少に分布された切削面（４）を提供するので偏析問題が生じてくる。上記のようにダイアモンド粒子が偏析し分布された場合には工具の切削性能がより劣るばかりでなく、工具寿命が低下する問題がある。
【０００９】
本発明者は上記従来の技術の問題を解決すべく研究及び実験を行い、その結果に基づきダイアモンド工具を構成する切削チップにダイアモンド粒子を適切に配列させることにより、優れた切削性能を有し且つ切削作業時発生する微細粉塵を減少させ得るダイアモンド工具を発明し、該発明されたダイアモンド工具を大韓民国特許出願第２００１‐６０６８０号で特許出願した。
【発明の開示】
【発明が解決しようとする課題】
【００１０】
本発明は大韓民国特許出願第２００１-６０６８０号に係わるもので、ダイアモンド工具を構成する切削チップにダイアモンド粒子を適切に配列させることにより、一層優れた切削性能を有し、且つ切削作業時発生する微細粉塵をより減少させ得るダイアモンド工具の提供を目的とする。
【課題を解決するための手段】
【００１１】
本発明は、２個以上の領域に区分して切削方向から見て前方部にはｎ層(layer)のダイアモンド粒子層が配列され後方部にはｎ’層のダイアモンド粒子層が配列され（この際n'≦n）、 上記前方部の各々のダイアモンド粒子層は、被削材の切削時、後続ダイアモンド層によって被削材に形成される切削溝が先行ダイアモンド層によって被削材に形成された切削溝間に形成されるよう上記後方部のダイアモンド粒子層間に来るよう配列され、そして複数個の切削チップが、被削材の切削時、後続切削チップのダイアモンド層によって被削材に形成される切削溝が先行切削チップのダイアモンド層によって被削材に形成された切削溝間に形成されるよう配列されたダイアモンド工具において、
上記前方部のダイアモンド粒子層が上記後方部のダイアモンド粒子層間に位置する配列が切削方向から見て側面部に陰刻を与えることにより形成されるダイアモンド工具に関する。
【００１２】
本発明はダイアモンド粒子が単層または多層の板状で分布された複数個の切削チップを含み、上記ダイアモンド粒子層は被削材の切削時後続ダイアモンド層によって被削材に形成される切削溝が先行ダイアモンド層によって被削材に形成された切削溝間に形成されるよう配列されるダイアモンド工具において、
上記ダイアモンド粒子は切削方向に平行で切削面と垂直に切断された断面において該断面の上部頂点を連結する線または下部頂点を連結する線と一定の角度で傾斜するように配列され、被削材の切削時ダイアモンド粒子が切削チップの切削面に一定の間隔で突出するようにするダイアモンド工具に関する。
【発明の効果】
【００１３】
本発明によれば、後続ダイアモンド粒子列(layer)が、先行ダイアモンド粒子列が形成した切削溝の隣接箇所に切削溝を形成するようダイアモンド粒子がダイアモンド工具の切削チップに配列される。さらに、先行切削チップと後続切削チップは、後続切削チップのダイアモンド粒子が、先行切削チップのダイアモンド粒子により被削材に形成された切削溝間の非切削部に沿って通過するように交互に配列されている。このため、被削材を切削する際各々のダイアモンド粒子１個の効用性を最大化し切削速度を向上させると同時に、微細粉塵の発生量を減少させられるダイアモンド工具を提供する効果を奏する。
【００１４】
また、本発明は各々のダイアモンド粒子１個の効用性を最大化するようダイアモンド粒子を単層または多層の板状に配列し、適切なフィラーを適切な位置に分布させることにより切削性が向上すると同時に微細粉塵の発生量を減少させ、寿命をより延長させられるダイアモンド工具を提供する効果を奏する。
【００１５】
さらに、本発明は上記効果の他にも、被削材の切削時ダイアモンド粒子が切削チップの切削面に一定の間隔を置いて突出するようにすることによりシャベル効果をより極大化させ切削性がより向上されると同時に微細粉塵の発生量を最少化させられるダイアモンド工具を提供する効果を奏する。
【発明を実施するための最良の形態】
【００１６】
本発明は切削作業過程において被削材と接する切削面にダイアモンドを適切に配列させ各々のダイアモンド粒子一つ一つが最も効率良く使用されるようにするダイアモンド工具に関する。図１のように、ダイアモンド粒子がランダムに配列された工具を使用して被削材を切削する場合には次のように３種の形態の切削溝を被削材の表面に形成するようになる。第一に、後続切削チップのダイアモンド粒子が先行ダイアモンド粒子と同じ軌跡をなぞり被削材に如何なる切削溝も形成せず結局何もしない場合、第二に、先行切削溝同士の隣接した間に後続切削チップの切削溝が形成され被削材が完全に除去される場合、第三に、先行切削溝同士の距離が離れすぎ後続切削チップが通過しても切削溝と切削溝の間に非切削部が残り被削材が完全に除去されず残留する場合である。
【００１７】
本発明は第一と第三のように切削効率を低下させる場合を最小化し、第二の最も効率的な場合を最大にして切削効率を極大化するようダイアモンド粒子を配列するものである。  即ち、本発明は先行切削チップのダイアモンド粒子が被削材を削り取って形成した切削溝同士の最も隣接した箇所に後続切削チップのダイアモンド粒子が切削溝を形成するよう切削チップにダイアモンド粒子を配列させた、いわゆる「シャベル効果」を利用したものである。
【００１８】
本発明にしたがって切削チップ内にダイアモンドを配列すると最も効果的な切削作用が起こるので切削速度が向上され、被削材を大粒で切削可能で、切削作業時発生する微細粉塵を減少させ作業者の健康を保護することができる。
【００１９】
以下、本発明に符合するダイアモンド工具の好ましき例について説明する。本発明はダイアモンド粒子が単層または多層の板状で分布された複数個の切削チップを含み、上記ダイアモンド粒子層は被削材の切削時後続ダイアモンド層によって被削材に形成される切削溝が先行ダイアモンド層によって被削材に形成された切削溝間に形成されるよう配列されるダイアモンド工具に好ましく適用されるものである。
【００２０】
ダイアモンド工具はダイアモンド粒子が分布され切削を直接行う切削チップと該切削チップが付着されるスチールコアー（Ｃｏｒｅ）とから形成される。スチールコアに固定された切削チップの切削面に配列されたダイアモンド粒子層が１以上の列（line）で現れるように、切削チップにおいてダイアモンド粒子はスチールコアの側面（side surface）と平行に１以上の層で配列される。
【００２１】
本発明が好ましく適用されるダイアモンド工具では、先行切削チップにはダイアモンド粒子がｎ層配列され後続切削チップにはダイアモンド粒子がｎ’層配列される（この際n'≦n）。先行切削チップと後続切削チップとは交互に配列され、そして後続する切削チップの各々のダイアモンド粒子層は上記先行切削チップのダイアモンド粒子層間に来るように配列される。
【００２２】
また、本発明は各々の切削チップを２個以上の領域に区分して切削方向から見て前方部にはｎ層のダイアモンド粒子層が配列され後方部にはｎ’層のダイアモンド粒子層が配列され（この際n'≦n）、そして上記前方部の各々のダイアモンド粒子層は上記後方部のダイアモンド粒子層間に来るよう配列されるダイアモンド工具にも適用される。
【００２３】
この場合にダイアモンド粒子がｎ層配列された切削チップの両サイドに交互に一定の深さの陰刻を与え一定区間でダイアモンド粒子層が交互に配列されるようにすることもできる。
上記切削チップにおいて陰刻のある部分中後方部にあるダイアモンド粒子層は前方部にあるダイアモンド粒子層の間に来るよう配列されなければならない。
【００２４】
図２から図６には本発明に好ましく適用され得る２個以上の領域に区分された切削チップの例が提示される。
【００２５】
即ち、図２は切削チップを２個の領域に区分して切削方向から見た前方部には３層のダイアモンド粒子層が配列され後方部には２層のダイアモンド粒子層が配列された切削チップを示す。図２に示すように、上記後方部の各々のダイアモンド粒子層（１４１ｄ、１４１ｅ）は上記前方部のダイアモンド粒子層（１４１ａ、１４１ｂ、１４１ｃ）間に来るよう配列される。
【００２６】
図３は切削方向から見た前方部（２１１）と後方部（２１２）の両側に各々交互に陰刻が形成された切削チップ（２１）を示す。図３に示したように、切削チップ（２１）の前方部（２１１）に３層のダイアモンド粒子層（２１１ａ、２１１ｂ、２１１ｃ）が配列され後方部（２１２）にも３層のダイアモンド粒子層（２１２ａ、２１２ｂ、 ２１２ｃ）が配列され、上記前方部（２１１）の３層のダイアモンド粒子層（２１１ａ、２１１ｂ、２１１ｃ）各々は上記後方部（２１２）の３層のダイアモンド粒子層（２１２ａ、 ２１２ｂ、２１２ｃ）間に来るよう配列される。
【００２７】
また、図４は切削チップの両側面側（切削方向から見ると側面側）に交互に陰刻(depressed portion)を与え且つ陰刻を有する部分が複数個繰り返されるようにしてダイアモンド粒子層が交互に配列される区間が２個以上（複数個）になるようにした切削チップ（２２）を示す。図４に示すように、切削チップ（２２）の前方部（２２１）の前面部（２２１１）と後面部（２２１２）に３層のダイアモンド粒子層（２２１ａ、２２１ｂ、２２１ｃ）及び（２２１ｄ、２２１ｅ、２２１ｆ）が配列され、後方部（２２２）の前面部（２２２１）と後面部（２２２２）にも３層のダイアモンド粒子層（２２１ｇ、２２１ｈ、２２１ｉ）及び（２２１ｊ、２２１ｋ、２２１ｌ）が配列され、上記３層のダイアモンド粒子層（２２１ａ、２２１ｂ、２２１ｃ）及び（２２１ｇ、２２１ｈ、２２１ｉ）各々は上記３層のダイアモンド粒子層（２２１ｄ、２２１ｅ、２２１ｆ）及び（２２１ｊ、２２１ｋ、２２１ｌ）間に来るよう配列される。
【００２８】
図５及び図６はダイアモンド粒子が側面と接するよう配列された切削チップの例を示す。
上記陰刻が与えられる部分の深さと長さ及び個数は切削チップの大きさ、ダイアモンドの集中度、及びダイアモンドの粒子の大きさによって適切に変化され得る。
【００２９】
また、本発明はダイアモンド粒子がｎ層配列された切削チップとダイアモンド粒子がｎ−１層配列された切削チップとを交互に配置したダイアモンド工具にも適用される。
【００３０】
上記ダイアモンド粒子がｎ−１層配列された切削チップにおいて各々のダイアモンド粒子層はダイアモンド粒子がｎ層配列された切削チップのダイアモンド粒子層間に来るよう配列される。 
本発明の主な特徴は、上記のようにダイアモンド粒子が配置されたダイアモンド工具において、ダイアモンド粒子が、被削材の切削時切削チップの切削面に一定の間隔を置いて突出するよう切削方向に平行で切削面と垂直に切断された断面上において該断面の上部頂点を連結する線または下部頂点を連結する線と一定の角度で傾斜するよう配列されることにある。
【００３１】
本発明が適用され得るセグメントタイプの切削チップを有するダイアモンド工具[ソーブレード（ｓａｗｂｌａｄｅ）]の一例を図７に示す。図７に示すように、ダイアモンド工具（１０１）はディスク形状のコア（２）に固定された切削チップらを含み、一つの切削チップ（１１１）には３層のダイアモンド粒子（１０５）層が配列され、他方の一つの切削チップ（１１２）には２層のダイアモンド粒子層が配列される。この際、上記２層のダイアモンド粒子層は上記３層のダイアモンド粒子層間に来るようダイアモンド粒子（１０５）が配列される。
【００３２】
図８及び図９には３層のダイアモンド粒子（１０５）層が配列された切削チップ（１１１）及び２層のダイアモンド粒子層が配列された切削チップ（１１２）の例が各々示してあり、図１０は本発明に符合する図２〜図６のダイアモンド工具を使用して被削材を切削する際の切削メカニズムを説明するための概略図を示す。
【００３３】
また、本発明が適用されるダイアモンド工具の一例として、ｎ層のダイアモンド粒子層が配列された切削チップを配列しつつ切削チップの粒子層が隣接した切削チップの粒子層の間に来るよう配列されたものを挙げられるが、その例を図１１に示す。図１１に示したように、先行切削チップ（１２１）には３層のダイアモンド粒子層（１２１ａ、１２１ｂ、１２１ｃ）が配列され、後続切削チップ（１２２）にも３層のダイアモンド粒子層（１２２ａ、１２２ｂ、１２２ｃ）が配列され、この際上記３層のダイアモンド粒子層（１２１ａ、１２１ｂ、１２１ｃ）各々は上記３層のダイアモンド粒子層（１２２ａ、１２２ｂ、１２２ｃ）間に来るようダイアモンド粒子が配列される。
【００３４】
さらに、本発明はダイアモンド粒子がｎ層配列された切削チップとダイアモンド粒子がｎ−２層またはそれ以下の層で配列された２個以上の切削チップが交互に配置され、上記ダイアモンド粒子がｎ−２層またはそれ以下の層で配列された切削チップにおいて各々のダイアモンド粒子層はダイアモンド粒子がｎ層配列された切削チップのダイアモンド粒子層間に来るよう配列されるダイアモンド工具にも適用されるが、その一例を図１２に示す。図１２に示すように、ダイアモンド粒子が１層配列された２個の切削チップ（１３２）及び（１３３）の各々のダイアモンド粒子層（１３２ａ）及び（１３３ａ）は３層配列された切削チップ（１３１）のダイアモンド粒子層（１３１ａ、１３１ｂ、１３１ｃ）間に来るよう配列される。
【００３５】
本発明は上記のようにダイアモンド粒子が配置されたダイアモンド工具においてシャベル効果をより極大化するよう被削材の切削時ダイアモンド粒子が切削チップの切削面に一定の間隔を置いて突出するよう切削方向に平行で切削面と垂直に切断された断面において該断面の上部頂点を連結する線または下部頂点を連結する線と一定の傾斜角度（以下、「傾斜角」とも称する）で傾斜するようダイアモンド粒子が配列されるようにするが、これについて詳しく説明する。
【００３６】
本発明に符合するダイアモンド工具を製造する方法としてはダイアモンド粒子を他の金属粉末と混合して焼結する粉末冶金方法が挙げられる。
【００３７】
上記粉末冶金方法を利用して切削チップを製造すべく金属粉末を成型する際切削チップの内部にダイアモンドを板状で配列するが、この際のダイアモンド配列状態の例を図１３に示す。図１３に示すように、ダイアモンドを配列する基本単位は正方形状でも[図１３（ａ）]、正三角形状でも[図１３（ｂ）]、そして二等辺三角形状でもよい[図１３（ｃ）]。もちろん、ダイアモンドを配列する基本単位は上記形状に限られるわけではない。
【００３８】
図１３（ａ）のように基本単位が正方形状となるようダイアモンド粒子を配列する場合には切削チップ内のダイアモンド粒子の配列は図１４のように示すことができる。即ち、図１４に示す配列状態は図１５において切削チップをＡ‐Ａ線に沿って切断したものである。
【００３９】
本発明に使用される「切削方向と平行で切削面と垂直な切断面」は図１５のように切削チップをＡ‐Ａ線に沿って切断して得た断面を意味する。図１５において符合９１は切削面を示す。
【００４０】
図１４において、切削が行われる切削チップ（９０）の切削面（９１）におけるダイアモンド粒子の状態を観察すると、初期には中央部分のダイアモンド粒子（９１１b）が切削に参加し、ダイアモンド粒子（９１１ｂ）が全て脱落すると両側面部のダイアモンド粒子（９１１ａ、 ９１１ｃ）が切削に参加する。切削作業中こうした過程が繰り返されるが、そうすると切削チップの切削面の全領域にダイアモンドが均一に突出せず一部に偏って現れるのでシャベル効果を１００％期することはできない。したがって、ダイアモンドを配列する際一定の傾斜角を与えダイアモンド粒子を配列することが効果的である。
【００４１】
図１６には正方形を基本単位として、傾斜角によるダイアモンド粒子の配列状態が示してある。図１６によると、図１６（ｂ）〜（ｆ）の配列が図１６（ａ）の場合より切削面上においてダイアモンド粒子同士の適当な間隔（Ｓ）を維持していることが分かる。
【００４２】
一般に、ダイアモンドソーブレードの場合、切削作業中切削面のダイアモンド状態は図１７のようにイマージングクリスタル（ｅｍｅｒｇｉｎｇ  ｃｒｙｓｔａｌ）（２３）、ホールクリスタル（ｗｈｏｌｅ ｃｒｙｓｔａｌ）（２４）、フラクチャードクリスタル（ｆｒａｃｔｕｒｅｄ ｃｒｙｓｔａｌ）（２５）、プルアウトホール（ｐｕｌｌ‐ｏｕｔ ｈｏｌｅ）（２６）などの諸形状で示される。 
ダイアモンド工具の関連論文によるとホールクリスタル：フラクチャードクリスタル：プルアウトホールの比率が４：４：２の場合が最も効率的な切削作業を行うことが報告されている。したがって、切削チップのダイアモンド粒子を好ましくは一定の傾斜角、より好ましくは５°以上の傾斜角を与えて配列することが、切削チップの切削面にホールクリスタル、フラクチャードクリスタル、プルアウトホールの適切な組合をもたらし切削作業上より効果的であろう。
【００４３】
図１６(f)において、正方形を基本単位としたダイアモンド粒子配列においては傾斜角４５°を基準に配列が対称をなす。即ち、図１８（ａ）と１８（ｂ）、１８（ｃ）と１８（ｄ）が各々対称となる。図１３（ｂ）及び１３（ｃ）のように正三角形及び二等辺三角形を基本単位にした場合は傾斜角３０°及び９０°を基準に各々対称となる。図１９と図２０に各々正三角形及び二等辺三角形を基本単位とした場合の傾斜角による配列状態と対称関係が示してある。
【００４４】
図１４に示したようにダイアモンド粒子同士の間隔が狭く同一な突出高さを有する場合には切断作業時切断面にダイアモンド粒子同士の間隔が狭い領域が部分的に現れるのでシャベル効果が充分に発揮されず、より優れた切削性は期することができない。実際に切削チップの切削面は有限半径を有するのでダイアモンド粒子が直線で配列される場合、切削チップの端部はある程度の傾斜においては図２１のＥ部分のように切削面にダイアモンド粒子が稠密に配列され得る。
【００４５】
図２２は一つの切削チップとスチールコアが結合されたダイアモンド工具の一部を示す。図２２には切削チップ（４６０）の切削面（４６２）において、この切削面（４６２）の中心と切削チップの両端点とを繋ぐ直線（４６３）がその切削面上にある場合、その直線（４６３）と切削面（４６２）の中心からスチールコア（ｓｔｅｅｌ ｃｏｒｅ）（４６１）の中心までの直線（４６４）とが成す角αが示してある。実際切削に参加するダイアモンド粒子は切削面（４６２）に露出するので 角αが図２３のように定義される角ａまたは角ｂと等しくならないようにすることが好ましい。即ち、上記αはスチールコア（４６１）の外径寸法、切削チップ（４６０）の長さなどによって異なり得るので、ダイアモンド配列時傾斜角はαがａまたはｂと等しくない範囲内で設定することが好ましい。
【００４６】
図２１は角αが角ａまたは角ｂと等しくなる場合であって、こうした場合には図１７に示すように、切削面においてダイアモンド同士の間隔が狭くなり局部的な領域（Ｅ）にのみダイアモンド粒子が突出するのでシャベル効果が充分発揮され得ない。
【００４７】
このように、本発明においてはシャベル効果をより向上させるために切削方向に平行で切削面と垂直に切断された断面上において該断面の上部頂点を連結する線または下部頂点を連結する線と一定の傾斜角度で傾斜になるよう、言い換えれば、図２２において定義される角αが図２３のように定義される角ａまたは角ｂと等しくないようダイアモンド粒子が配列されなければならない。上記のようにダイアモンド粒子を配列することにより被削材の切削時ダイアモンド粒子が一定の間隔で切削面上に常に露出されることによりシャベル効果を一層向上させ、結果として切削効果をより向上させられる。
【００４８】
さらに、本発明は図２４にも示すように多数個の切削チップで成るコアビットの切削チップにも適用され得る。図２４には本発明に符合するコア切削チップの一例が示してある。図２４に示すように、上記コア切削チップ（１０２）は、本発明によりダイアモンド粒子層（１８１ａ、１８１ｂ、１８１ｃ）が切削面に３層配列された切削チップ（１８１）とダイアモンド粒子層（１８２ａ、１８２ｂ）が２層配列された切削チップ（１８２）とが交互に配列され、且つ切削面と平行かつ垂直な切断面上において該断面の上部頂点を連結する線または下部頂点を連結する線と一定の傾斜角度で傾斜するようダイアモンド粒子が配列されたものである。
【００４９】
また、本発明は本発明により単層または多層のダイアモンド粒子層が配列された切削チップ間にダイアモンド粒子がランダムに配列された切削チップを一つまたはそれ以上配置させるダイアモンド工具にも適用され得る。  例えば、３層×２層×ランダム交互配列、３層×ランダム×２層交互配列、３層×ランダム×２層交互配列または３層×２層×ランダム×ランダム交互配列などが挙げられる。
【００５０】
上記のようにダイアモンド粒子がランダムに配列された切削チップを配置して工具を製造する場合には、切削効率が従来の工具に比しては優れるがダイアモンド粒子がランダムに配列された切削チップを配置しない工具に比しては切削効率が多少劣るようになる。
【００５１】
上記した本発明のダイアモンド工具において先行切削チップに配列される各ダイアモンド粒子層と粒子層の間隔は後続切削チップに配列されたダイアモンド粒子層の厚さ（ダイアモンド列の幅）より小さいか同じくすることが好ましい。
【００５２】
一方、本発明によりダイアモンド粒子を配列して切削チップを製作する場合、とりわけ内部にのみ規則的に配列されたダイアモンドがある場合[図２、図３、図４]は、切削チップの外側面部（outer surface of both lateral sides）にはダイアモンド粒子が無いので金属結合剤が早期に磨耗され規則的に配列されたダイアモンドが早期脱落してしまう虞がある。したがって、切削チップ側面部の早期磨耗を防止するために本発明においては耐磨耗性の高いフィラーを選択して切削チップの側面部ダイアモンド粒子の無い部位に適切な形態で分布させる。
【００５３】
即ち、本発明により工具の寿命をより延長させるために金属結合剤にフィラー（ｆｉｌｌｅｒ）（硬度の高い研磨材）を添加して金属結合剤の耐磨耗性を増加させることが好ましい。この際、使用されるフィラーとしてはＳｉＣ、ＷＣ、ＢＮ、Ａｌ２Ｏ３、ダイアモンドなどのように耐磨耗性のある粒子であって、単独または２種以上を複合して使用し得る。
【００５４】
フィラーに使用される材料は側面部の磨耗防止のために添加されるものなので、フィラーにダイアモンドを使用する場合側面部にフィラーとして添加されたダイアモンドの集中度は切削を目的として中央部に充填されたダイアモンドの集中度より低い集中度を有さなければならない。側面部にフィラーとして添加されたダイアモンドは切削を目的として中央部に充填されたダイアモンドの集中度の１０〜６０％程の低い集中度を有することが好ましい。
【００５５】
何故ならば側面部にフィラーとして添加されたダイアモンドの集中度が切削を目的として中央部に充填されたダイアモンドの集中度の１０％未満であると側面の急激な磨耗により側面部の早期磨耗防止効果が無く、６０％を超過すると側部の早期磨耗防止効果が飽和するばかりでなく、中央部に充填されたダイアモンドの量が相対的に少なくなってむしろ切削性能を低下させるからである。
【００５６】
図２５に示すように、フィラー（１６４）は切削チップ（１６１）の側面（lateral side）にランダムに分布されることもでき、また図２６のようにフィラー（１７４）が切削チップ（１７１）の側面に規則的に分布させることもできる。図２５及び図２６において符合１６１ａ、１６１ｂ、１６１ｃ、１７１ａ、１７１ｂ及び１７１ｃはダイアモンド粒子層を示す。
【００５７】
本発明のダイアモンド工具を製造する方法の一例は次のとおりである。スプレイ式接着剤を切削チップ形状に切り取った金属網上に塗布し、その上に一定の間隔でレーザー加工により打ち抜かれた金属治具を載せ微細ダイアモンド粒子を散布する。この際、１個の孔にダイアモンド粒子が１個ずつ入るようにする。金属治具を分離すると金属網上にダイアモンド粒子が一定に配列された金属網が得られる。これを金属結合剤と共に冷間成型して焼結し切削チップを製造する。この際、一つの切削チップを２個以上の領域に区分して製作する場合には成型あるいは焼結時に陽刻を有する上下モールドを使用して製作できるが焼結による方法がより好ましい。この方法はダイアモンド工具業界において広く用いられる方法である。上記した本発明のダイアモンド工具の製造方法は一つの好ましき例に過ぎず、特別に限定されるわけではない。
【００５８】
以下、本発明に符合されるダイアモンド工具を使用して被削材を切削時切削メカニズムについて説明する。図１０に示すように、本発明においてはダイアモンド粒子が３層（１１１ａ、１１１ｂ、１１１ｃ）で配列された切削チップ（１１１）とダイアモンド粒子が２層（１１２ａ、１１２ｂ）で配列された切削チップ（１１２）とを連続配列して被削材（１１３）を切削する場合、３層配列切削チップ（１１１）により削られた被削材切削溝（１１３ａ、１１３ｂ、１１３ｃ）の隣接した箇所に２層配列切削チップ（１１２）のダイアモンド粒子が切削溝（１１３ｄ、１１３ｅ）を形成するのでダイアモンド工具の切削能を向上させる効果を奏し、また被削材を大粒で切削でき切削作業時発生する微細粉塵を減らせ、且つ図２２に定義される角αが図２３のように定義される角ａまたは角ｂと等しくないようダイアモンド粒子を配列することにより被削材の切削時ダイアモンド粒子が一定の間隔で切削面上に常に露出することによりシャベル効果をより向上させ、結果的に切削効果を一層向上させられる。
【００５９】
一方、図１１に示すように、先行する切削チップ（１２１）の切削面に配列された３層のダイアモンド粒子層（１２１ａ、１２１ｂ、１２１ｃ）が被削材（１２３）を削り取り切削溝（１２３a、１２３b、１２３c）が形成され、後続するセグメント（１２２）の切削面に配列された３層のダイアモンド粒子層（１２２ａ、１２２ｂ、１２２ｃ）が先行する切削チップ（１２１）により被削材（１２３）に形成された切削溝（１２３ａ、１２３ｂ、１２３ｃ）の隣接した箇所に切削溝（１２３ｄ、１２３ｅ、１２３ｆ）を形成して最も効果的に被削材が除去されるので、切削速度を向上させ被削材（１２３）を大粒で切削でき切削作業時発生する微細粉塵を減らせるばかりでなく、図２２に定義される角αが図２３のように定義される角ａまたは角ｂと等しくないようダイアモンド粒子を配列することにより被削材の切削時ダイアモンド粒子が一定の間隔で切削面上に常に露出され、シャベル効果をより向上させ結果的に切削効果を一層向上させられる。
【００６０】
以下、実施例を参照に本発明をより具体的に説明する。
（実施例１）
ダイアモンド粒子が切削面と垂直な切断面に板状で配列される際の傾斜角度による切削性能を比較するため、２４個の切削チップを有する１４ inchソーブレード（ｓａｗ ｂｌａｄｅ）を製作して切断試験を行い、その結果を下記表１に示した。
【００６１】
上記ソーブレードは、切削チップの切削面における配列形態が図９のように３層でダイアモンドを規則的に配列した切削チップと２層でダイアモンドを規則的に配列した切削チップとを交互に配列（３層×２層）したものである。この際、切削チップの寸法は長さ４０mm、幅８．２mm、厚さ３．２mmで、Ｃｏ‐Ｆｅ‐Ｎｉ系成分の金属結合剤を使用した。ダイアモンドとしては米国のＧＥ社のＭＢＳ９５５を使用し、集中度は０．９ｃｔｓ/ｃｃにした。焼結は高温プレス（Ｈｏｔ  ｐｒｅｓｓ）方式により焼結温度８６０℃、焼結時間５分の条件で行った。
【００６２】
上記方法により製造した切削チップをレーザー溶接で１４インチコア（ｃｏｒe）に付着して切込３５mmでコンクリート切削試験を行った。この際使用した機械はＥＤＣＯ（社）のエンジン駆動型切削試験機５．５ＨＰである。ダイアモンド配列時ダイアモンド粒子の傾斜角は０°、１５°、２５°、３５°、４５°と変化を与えた。
【００６３】
切削チップの側面には磨耗防止のため、内部に規則的に配列されたダイアモンドと同種のダイアモンドを使用し内部に入ったダイアモンドの集中度より３０％低い集中度でダイアモンドをフィラー（ｆｉｌｌｅｒ）として添加した。
【００６４】
【表１】
2006515807.tif 000003
上記表１に示すように、本発明に符合する発明例（１）〜発明例（４）の場合が従来例及び比較例より切削及び寿命指数の性能が優れていることが分かり、とりわけ２５°〜４５°の傾斜角を有する発明例（２〜４）の場合に切削性能がより優れていることが分かる。
【００６５】
（実施例２）
下記表２のように、３層でダイアモンドを規則的に配列した切削チップと２層でダイアモンドを規則的に配列した切削チップとを交互配列（３層×２層）したソーブレード（ｓａｗ ｂｌａｄｅ）（発明例５）、４層でダイアモンドを規則的に配列した切削チップと３層でダイアモンドを規則的に配列した切削チップとを交互配列（４層×３層）したソーブレード（発明例６）、図２のように３層でダイアモンドを規則的に配列した切削チップの両側に交互に陰刻を与え配列（３層）したソーブレード（発明例７）、及びダイアモンド粒子を配列せずランダムに混合してダイアモンド粒子を分布させたソーブレード（従来例）を製作した後、切削試験を行って切削性能と寿命性能を調査し、その結果を下記表２に示した。
【００６６】
発明例において切削面と垂直に規則的に配列されたダイアモンド層の傾斜角は実施例１の結果を基に２５°とした。この際、切削チップのダイアモンド層の厚さはダイアモンド平均粒子の大きさである０．４mmで、ダイアモンド層同士の間隔は０．３mmになるよう配列した。
【００６７】
この際、使用した金属結合剤としてはＣｏ‐Ｆｅ‐Ｎｉ系合金を使用し、ダイアモンドは米国ＧＥ社のＭＢＳ９５５を使用し、焼結はホットプレス（Ｈｏｔ ｐｒｅｓｓ）方式で焼結温度８６０℃、焼結時間５分の条件で行った。残りの実験条件は実施例１と同一である。
【００６８】
【表２】
2006515807.tif 000004
上記表２に示すように、本発明に符合する発明例（５）〜（７）の場合が従来の方法により製作した従来例に比して切削性能及び寿命性能において優れていることが分かる。
【００６９】
（実施例３）
上記実施例２における発明例（７）のソーブレードと従来例のソーブレードに対する切削回数による切削時間の様相を調査し、その結果を図２７に示した。 
ここで切削時間とは、切削作業時ソーブレードが１回切削するのにかかる時間である。１回の切削とは３０cm長さの被削材を一定の深さで１回切削することを意味する。図２７に示したように、発明例（７）のソーブレードが従来例のソーブレードより切削時間が短く、切削時間の傾向が安定しており、より均一な性能を示すことが分かる。
【００７０】
（実施例４）
切削チップの側面部の早期磨耗防止のために上記実施例２の発明例（５）により３層×２層の交互配列を基本として下記表３のように金属結合剤にフィラー（ｆｉｌｌｅｒ）を添加して切削チップを製作した後切削試験を行い、その結果を下記表３に示した。この際、切削面と垂直に規則的に配列されたダイアモンド層の傾斜角は２５°とした。ここで、フィラー（ｆｉｌｌｅｒ）材料としては切削を目的として中央部分に規則的に配列されたダイアモンドと同種のものを使用し、中央部分に規則的に配列されたダイアモンド集中度の５〜７０％まで変化させた。 
切削チップ側面部の早期磨耗評価は切削作業後セグメントの厚さ減少量により評価した。 
切削チップの厚さ減少量は３０mと６０m切削作業後切削チップの初期厚さ３．２mmより減少した量を測定した。測定部位は２４個のセグメント中任意のセグメントから９０°ずつ離れて位置した４個のセグメントの平均値を測定して側面部の磨耗量を比較した。他の試験条件は実施例１と同じである。
【００７１】
【表３】
2006515807.tif 000005
上記表３に示したように、フィラーを適正量含有させた場合[発明例（８）〜（１２）]には切削チップの厚さ減少量が極めて少ないことが分かる。
【００７２】
（実施例５）
３層でダイアモンドを規則的に配列した切削チップと２層でダイアモンドを規則的に配列した切削チップとを交互配列（３層×２層）したソーブレード（saw blade）（発明例 ５）、 発明例（５）のソーブレードにダイアモンドがランダムに分布された切削チップを所々に含んだソーブレード、即ち３層切削チップ、 ２層切削チップ、 無秩序配列された切削チップを交互配列（３層×２層×ランダム配列×ランダム配列）したソーブレード（saw blade）（発明例 １３）、ランダムに混合してダイアモンド粒子を分布させたソーブレード（従来例）を製作した後、切削試験を行い切削性能と寿命性能を調査し、その結果を下記表４に示した。発明例らにおいて切削面と垂直に規則的に配列されたダイアモンド層の傾斜角は２５°とした。
【００７３】
この際使用した金属結合剤としてはＣｏ‐Ｆｅ‐Ｎｉ系合金を使用し、ダイアモンドは米国のＧＥ社のＭＢＳ９５５を使用し、焼結はホットプレス（Ｈｏｔ ｐｒｅｓｓ）方式で焼結温度８６０℃、焼結時間５分の条件で行った。 
本実施例における工具は切削チップをレーザー溶接で１４ インチコア（ｃｏｒｅ）に２４個付着して製作されたもので、切削試験は切込３５mmでコンクリート切削試験を行った。使用した機械はEDCO（社）の１４インチ・エンジン駆動型試験機５．５ＨＰである。上記各ソーブレードの切削チップの大きさは長さ４０mm、高さ８．２mm、厚さ３．２mmである。
【００７４】
【表４】
2006515807.tif 000006
上記表４に示したように、本発明に符合する発明例（１３）の場合は発明例（５）に比しては性能が劣るが従来例に比しては切削性能及び寿命性能が優れていることが分かる。
【図面の簡単な説明】
【００７５】
【図１】切削チップの切削面にダイアモンド粒子がランダムに分布された従来のダイアモンド工具の一例図である。
【図２】本発明のダイアモンド工具において本発明により陰刻が与えられた切削チップの一例図である。
【図３】本発明のダイアモンド工具において本発明により陰刻が与えられた切削チップの一例図である。
【図４】本発明のダイアモンド工具において本発明により陰刻が与えられた切削チップの一例図である。
【図５】本発明のダイアモンド工具において本発明により陰刻が与えられた切削チップの一例図である。
【図６】本発明のダイアモンド工具において本発明により陰刻が与えられた切削チップの一例図である。
【図７】本発明が好ましく適用され得るダイアモンド工具の一例図である。
【図８】図７において、ダイアモンド粒子が３層で規則的に配列された切削チップの構成図である。
【図９】図７においてダイアモンド粒子が２層で規則的に配列された切削チップの構成図である。
【図１０】図７のダイアモンド工具を使用して被削材を切削する際の切削メカニズムを説明するための概略図である。
【図１１】本発明が好ましく適用され得るダイアモンド工具の他の一例図である。
【図１２】本発明が好ましく適用され得るダイアモンド工具のさらに他の一例図である。
【図１３】ダイアモンド工具用切削チップの切削面と垂直な切断面におけるダイアモンド配列の例を示す概略図であって、（ａ）は基本単位が正方形状で配列されるダイアモンド粒子の配列例を示し、（ｂ）は基本単位が正三角形状で配列されるダイアモンド粒子の配列例を示し、（ｃ）は基本単位が二等辺三角形状で配列されるダイアモンド粒子の配列例を示す。
【図１４】図１３（ａ）のように基本単位が正方形状のダイアモンド粒子配列を有するダイアモンド工具用切削チップの一例を示す概略図である。
【図１５】ダイアモンド工具用切削チップの切削面と垂直に切断された面におけるダイアモンド粒子の配列を示す一例図である。
【図１６】基本単位が正方形状のダイアモンド粒子配列が本発明により傾斜するようになっている切削チップの例を示す概略図である。
【図１７】ダイアモンド工具用切削チップの切削面に配列されたダイアモンド粒子が切削作業時切削面から露出した状態を示す切削チップの切削面の一例図である。
【図１８】基本単位が正方形状のダイアモンド粒子配列の傾斜角が５ °及び ２５°のダイアモンド粒子配列の対称関係を示す概略図である。
【図１９】基本単位が正三角形状のダイアモンド粒子配列が本発明により傾斜するようになっている切削チップの例を示す概略図である。
【図２０】基本単位が二等辺三角形状のダイアモンド粒子配列が本発明により傾斜するようになっている切削チップの例を示す概略図である。
【図２１】ダイアモンド粒子が直線で配列される場合傾斜角が小さく切削チップ終端の切削面においてダイアモンド粒子が稠密に配列される状態を示す切削チップの概略図である。
【図２２】一つの切削チップとスチールコアが結合されたダイアモンド工具の一部を示す概略図である。
【図２３】ダイアモンド粒子の配列角度ａ及びｂが定義された切削チップの概略図である。
【図２４】本発明が適用され得るダイアモンド工具用切削チップのさらに他の例を示す概略図である。
【図２５】本発明が適用され得るダイアモンド工具用切削チップのさらに他の例を示す概略図である。
【図２６】本発明が適用され得るダイアモンド工具用切削チップのさらに他の例を示す概略図である。
【図２７】従来例及び発明例（７）に対する切削回数による切削時間の変化を示すグラフである。
【符号の説明】
【００７６】
２  コア
１０１  ダイアモンド工具
２１、２２、１１１、１１２、１２１、１２２、１３１、１３２、１３３、１４１、１６１、１７１、１８１、１８２、切削チップ
１０５  ダイアモンド粒子
１２１ａ、１２１ｂ、１２１ｃ、１２２ａ、１２２ｂ、１２２ｃ、１３１ａ、１３１ｂ、１３１ｃ、１３２ａ、１３３ａ、１４１ａ、１４１ｂ、１４１ｃ、１４１ｄ、１４１ｅ、１８１ａ、１８１ｂ、１８１ｃ、１８２ａ、１８２ｂ、２１１ａ、２１１ｂ、２１１ｃ、２１２ａ、２１２ｂ、２１２ｃ  ダイアモンド粒子層
１１３、１２３、２１３  被削材
【図１】
2006515807.tif 000007
【図２】
2006515807.tif 000008
【図３】
2006515807.tif 000009
【図４】
2006515807.tif 000010
【図５】
2006515807.tif 000011
【図６】
2006515807.tif 000012
【図７】
2006515807.tif 000013
【図８】
2006515807.tif 000014
【図９】
2006515807.tif 000015
【図１０】
2006515807.tif 000016
【図１１】
2006515807.tif 000017
【図１２】
2006515807.tif 000018
【図１３】
2006515807.tif 000019
【図１４】
2006515807.tif 000020
【図１５】
2006515807.tif 000021
【図１６】
2006515807.tif 000022
【図１７】
2006515807.tif 000023
【図１８】
2006515807.tif 000024
【図１９】
2006515807.tif 000025
【図２０】
2006515807.tif 000026
【図２１】
2006515807.tif 000027
【図２２】
2006515807.tif 000028
【図２３】
2006515807.tif 000029
【図２４】
2006515807.tif 000030
【図２５】
2006515807.tif 000031
【図２６】
2006515807.tif 000032
【図２７】
2006515807.tif 000033
【国際調査報告】
2006515807.tif 000034
2006515807.tif 000035